(57)【要約】【課題】  コスト的にも安価につき、しかも、安全性の高い災害安全装置を提供すること。【解決手段】  複数本の支柱を有し上部にアッパーガードを備えたガードフレームを畳の敷設された和室を対象に設置するようにした災害安全装置であって、床下の基盤側には、アンカーが上方へ延びて配される一方、前記支柱は、畳に開けられた孔に通されて前記アンカー側に連結固定されてなることを特徴とする。このものにおいて、アンカーは、基盤に埋め込み固定された埋込コンクリートに固着されていたり、支柱側とアンカー側との間には、下緩衝部材が介装されている。また、上緩衝部材をも併せて装備することもある。。【選択図】  図１
2005163530.tif 000002
【特許請求の範囲】
【請求項１】
複数本の支柱を有し上部にアッパーガードを備えたガードフレームを畳の敷設された和室を対象に設置するようにした災害安全装置であって、床下の基盤側には、アンカーが上方へ延びて配される一方、前記支柱は、畳に開けられた孔に通されて前記アンカー側に連結固定されてなることを特徴とする災害安全装置。
【請求項２】
請求項１記載のものにおいて、アンカーは、基盤に埋め込み固定された埋込コンクリートに固着されている災害安全装置。
【請求項３】
請求項１または２記載のものにおいて、支柱側とアンカー側との間には、下緩衝部材が介装されている災害安全装置。
【請求項４】
請求項３記載のものにおいて、ガードフレーム上には上緩衝部材が設けられている災害安全装置。
【請求項５】
請求項１から４までのいずれかにおいて、畳下には、支柱の下端間を継ぐ伝達受板が設けられ、同伝達受板から下向きに突出する脚筒を介してアンカーが連結されている災害安全装置。
【請求項６】
複数本の支柱を有し上部にアッパーガードを備えたガードフレームを畳の敷設された和室を対象に設置するようにした災害安全装置であって、前記支柱は、床下の基盤側に固定して設けられたアンカー側に連結固定される一方、前記ガードフレームは、連結金具を介して直接あるいは延長フレームを介して間接的に和室を構成する柱などの構造物に連結されるようになっていることを特徴とする災害安全装置。
【発明の詳細な説明】
【技術分野】
【０００１】  この発明は、地震（津波を含む）、土砂崩れ、台風、洪水等の種々の災害時に有効に機能するようにした災害安全装置に関する。
【背景技術】
【０００２】  例えば、近年では地震や津波あるいは土砂崩れ等が激烈なものになっているのが現状である。
【発明の開示】
【発明が解決しようとする課題】
【０００３】  そのための対策として、本出願人は先にカプセル体に関する提案をしたのであるが、コスト的な問題もここに考慮しつつ安全性の高い災害対策を採る必要があることを痛感した。
この発明は前記課題を解決するためになされたもので、その目的とするところは、コスト的にも安価につき、しかも、安全性の高い災害安全装置を提供することにある。
【課題を解決するための手段】
【０００４】  この発明は前記課題を解決するためになされたもので、請求項１記載の発明は、複数本の支柱を有し上部にアッパーガードを備えたガードフレームを畳の敷設された和室を対象に設置するようにした災害安全装置であって、床下の基盤側には、アンカーが上方へ延びて配される一方、前記支柱は、畳に開けられた孔に通されて前記アンカー側に連結固定されてなることを特徴とする。
請求項２記載の発明は、請求項１記載のものにおいて、アンカーは、基盤に埋め込み固定された埋込コンクリートに固着されている。
請求項３記載の発明は、請求項１または２記載のものにおいて、支柱側とアンカー側との間には、下緩衝部材が介装されている。
請求項４記載の発明は、請求項３記載のものにおいて、ガードフレーム上には上緩衝部材が設けられている。
請求項５記載の発明は、請求項１から４までのいずれかにおいて、畳下には、支柱の下端間を継ぐ伝達受板が設けられ、同伝達受板から下向きに突出する脚筒を介してアンカーが連結されている。
請求項６記載の発明は、複数本の支柱を有し上部にアッパーガードを備えたガードフレームを畳の敷設された和室を対象に設置するようにした災害安全装置であって、前記支柱は、床下の基盤側に固定して設けられたアンカー側に連結固定される一方、前記ガードフレームは、連結金具を介して直接あるいは延長フレームを介して間接的に和室を構成する柱などの構造物に連結されるようになっていることを特徴とする。
【発明の効果】
【０００５】  この発明の災害安全装置によれば、コスト的にも安価につき、しかも、安全性の高い災害安全装置を提供することができる。
【発明を実施するための最良の形態】
【０００６】  以下、図示した各実施形態を参照してこの発明を詳細に説明する。
図１および図２に示す実施形態は、和室を対象にして災害安全装置を構成したものである。和室の床下には、コンクリートによる基盤３００が形成され、同基盤３００上には、土台（図示省略）に両端を支持された大引き３０１が複数本平行に配され、各大引き３０１は、図２に示す床づか３０２を介して支持されている。【０００７】  大引き３０１の上には、根太３０３…を介して床板３０４…が敷設され、同床板３０４…の上に畳３０５…が敷設されている。この実施形態では、複数枚の畳３００５…のうちの１枚を対象にして災害安全装置を構成したものである。【０００８】  ３０７はガードフレームで、四角な金属パイプでなる合計４本の支柱３０８…と、これらの上端間を一体式あるいは連結手段により脱着式に継ぐアッパーガード３０９よりなる。このアッパーガード３０９は、上からみて四辺形、Ｘ字形等にする。同アッパーガード３０９上は、ゴム、スポンジ、弾性樹脂、バネ板のような上緩衝部材３１０で覆われている。【０００９】  また、ガードフレーム３０７は、図１に仮想線Ｈで示すように、高く形成したり、同図に仮想線Ｌで示すように、低く形成したりすることができる。さらに、ガードフレーム３０７の全体には、和風であることを考慮して木目調の外皮３１２を収縮樹脂などにより装着する。【００１０】  対象となる畳３０５は、他の畳３０５と同一のものあるいは異なるものになっており、その平面４隅には、支柱３０８の基部を通すための孔３１３が開けられている。この畳３０５の長手方向両端下面に対応して、前後一対の金属板状の伝達受板３１４が設けられている。この伝達受板３１４は、畳３０５の幅方向に同じ長さをもち畳３０５の長手方向に対応して短いものとして形成されている。尚、図１の左右方向が畳３０５の幅方向、図２の左右方向が畳３０５の長手方向である。同伝達受板３１４は、強靭な材質が適当である。また、同伝達受板３１４と畳３０５とを連結することもできる。【００１１】  伝達受板３１４の４隅には、前記支柱３０８の基端部が溶接固着されている。伝達受板３１４の側に短い筒体を溶接しておき、同短筒に支柱３０８を差し込むようにしてもよい。また、伝達受板３１４の一部を厚肉状に形成しておけば溶接強度が上がる。さらに、伝達受板３１４の下あるいは上にコの字チャンネル材（あるいはアングル材）を溶接しておいてそれに支柱３０８を連結するようにしてもよい。【００１２】  また、支柱３０８は、伝達受板３１４から下向きに突設された溶接筒である脚筒３１５内に差し込むようにしてもよい。脚筒３１５は、上からみて４点に配され、その底部には円板形をした座板３１６が溶接固着されている。この座板３１６には中央に通孔が開けられている。【００１３】  ３１８はアンカーで、基盤３００の４点に事後的に施工されたものである。同アンカー３１８は、埋込コンクリート３１９に埋め込み固着されて上方に延びている。アンカー３１８は、脚筒３１５の下方に対応し、前記通孔を通して同脚筒３１５内に突出し、ナット３２０で締め付け固定されている。【００１４】  ３２２は下緩衝部材で、伝達受板３１４の下方に対応してアンカー３１８の締め付けにより固定設置され、上部と左右の脚部とを備える。この下緩��部材３２２は、前記上緩衝部材３１０と同様の材質を採用するものであるが、畳３０５と同じ材料を使用してもよい。尚、３２３は空間であり、下緩衝部材３２２の下部中央に形成されている。【００１５】  図３に示す実施形態は、畳３０５を上下２層配し、これらの下側に上下２層の畳材からなる下緩衝部材３２２を配してこれらの上下間にガードフレーム３０７の下部折り曲げ座部３０７ａをサンドイッチしてアンカー３１８で締め付け固定したものである。ガードフレーム３０７は、図１に示す形状のものの他、図３に示す山形のものにしてもよい。この場合、アッパーガード３０９を左右に分離して当て３２５，３２５同士が負荷時に初めて当って緩衝効果を発揮するようにしてもよい。【００１６】  尚、図１に示す実施形態でも同様にすることができるが、図３に仮想線で示すように、ガードフレーム３０７から延長フレーム３２６を延ばしてもよい。この場合、室内の柱に一端を連結したり、あるいは延長側に別に配した支柱に連結するようにしてもよい。【００１７】  図４に示す実施形態は、室内に如何にガードフレーム３０７を構成するかを示すものである。すなわち、実線１のように、２畳分に対して設置される場合、仮想線ＩＩのように、さらに多くの広さに対して設置される場合、仮想線ＩＩＩのように、室内全体に対して設置される場合がある。【００１８】  図５に示す実施形態は、建屋の木質柱３２７に室内側から埋込金具３２８を固着し、同金具３２８にガードフレーム３０７の支柱３０８を連結するようにしたもので、ガードフレーム３０７および建屋の双方が協力し合うものになる。３２９は畳３０５の孔である。【００１９】  尚、図１から５までの実施形態では、寝床が上下１階であったが、２階建て以上にしてもよい。【００２０】  図６に示す実施形態は、上段３３０と下段３３１とがそれぞれの一端を布ヒンジ３３２で連結して仮想線のように展開自在にしたもので、３３３は上段３３０上の一側に備え付けたレストである。これはソファーベッドとも称するものであるが、このものを対象にして、ガードフレーム３３５を組み合わせた実施形態である。ガードフレーム３３５が側面からみてアーチ形をしており、その前後脚部には下緩衝部材３３６が取り付けられている。ガードフレーム３３５の上部にも上緩衝部材３３７が設けられている。ガードフレーム３３５はパイプあるいは板により適宜形成する。そして、ガードフレーム３３５の下部には水平な伝達受板３３８が後側から前向きに水平に突出しており、同伝達受板３３８が、上段３３０と下段３３１との間にサンドイッチにされている。
【図面の簡単な説明】
【００２１】
【図１】  和室を対象にして災害安全装置を構成した一例を示す断面図。
【図２】  同例のＥ−Ｅ線断面図。
【図３】  和室を対象にして災害安全装置を構成した他の一例を示す断面図。
【図４】  ガードフレームの室内への構成例を示す平面図。
【図５】  家屋の柱とガードフレームとの連結例を示す横断面図。
【図６】  ソファーベッドにガードフレームを組み合わせた実施形態を示す側面図。
【符号の説明】
３００…基盤  ３０５…畳  ３０７…ガードフレーム  ３０８…支柱  ３０９…アッパーガード  ３１３…畳の孔  ３１０，３２２…緩衝部材  ３１８…アンカー  ３１９…埋込コンクリート。
【図１】
2005163530.tif 000003
【図２】
2005163530.tif 000004
【図３】
2005163530.tif 000005
【図４】
2005163530.tif 000006
【図５】
2005163530.tif 000007
【図６】
2005163530.tif 000008